(57)【要約】【課題】操作入力部や表示部が設けられていない親機であっても、カールコードレス電話機の親機と子機とを容易かつ正確に関連付けることができるようにする。【解決手段】所望のカールコードレス電話機３Ａでの子機登録処理に固有の登録コードを制御装置４から親機１へ通知するとともに、子機２で操作入力された当該登録コードに基づき生成した認証コードを親機１へ通知し、子機２から通知された認証コードと制御装置４から通知された登録コードに基づき生成した認証コードとの一致に応じて親機１で子機２を正当な子機と判断する。【選択図】  図１
2006210990.tif 000002
【特許請求の範囲】
【請求項１】
複数の電話機を接続するとともに通話回線を収容する制御装置からなり、前記電話機として、子機と親機とが無線伝送路を介して接続されるカールコードレス電話機を備える電話システムであって、
前記制御装置は、前記カールコードレス電話機での子機登録処理に固有の登録コードを前記親機に通知する子機登録制御手段を備え、
前記子機は、操作入力された登録コードに基づき生成した認証コードを前記親機に通知する子機登録手段を備え、
前記親機は、前記子機から通知された認証コードと前記制御装置から通知された登録コードに基づき生成した認証コードとの一致に応じて前記子機を正当な子機と判断する子機登録処理手段を備える
ことを特徴とする電話システム。
【請求項２】
請求項１に記載の電話システムであって、
前記子機登録制御手段は、前記電話機のうち前記子機登録処理を行うカールコードレス電話機以外の電話機のいずれかを制御して、前記親機で用いられる登録コードを当該電話機で可視表示することを特徴とする電話システム。
【請求項３】
請求項１に記載の電話システムであって、
前記制御装置は、前記登録コードを生成する登録コード生成手段をさらに備えることを特徴とする電話システム。
【請求項４】
複数の電話機を接続するとともに通話回線を収容する制御装置からなる電話システムで、前記電話機として用いられ、子機と親機とが無線伝送路を介して接続されるカールコードレス電話機であって、
前記子機は、操作入力された登録コードに基づき生成した認証コードを前記親機に通知する子機登録手段を備え、
前記親機は、前記子機から通知された認証コードと前記制御装置から通知された登録コードに基づき生成した認証コードとの一致に応じて前記子機を正当な子機と判断する子機登録処理手段を備える
ことを特徴とするカールコードレス電話機。
【発明の詳細な説明】
【技術分野】
【０００１】
本発明は、電話機制御技術に関し、特にカールコードレス電話機を含む複数の電話機により通話回線を共用する電話システムで、カールコードレス電話機の親機と子機とを関連付けるための子機登録処理技術に関する。
【背景技術】
【０００２】
複数の電話機と、これら電話機を接続するとともに１つ以上の通話回線を収容する制御装置とからなる電話システムでは、制御装置で各電話機の呼制御を行うことによりこれら電話機で通話回線の共用を実現している。
例えば、電話システムを代表するボタン電話装置では、上記制御装置に相当する主装置に収容されたアナログ電話回線やＩＰ電話回線などの通話回線を主装置に接続された複数の内線電話機で共用するものとなっている。
【０００３】
この種の電話システムでは、電話機としてカールコードレス電話機が用いられる場合がある。カールコードレス電話機は、呼制御機能を持つ親機と通話機能を持つ子機とが無線伝送路を介して接続される電話機であり、電話システムでは親機が内線伝送路を介して制御装置と接続される。
このようなカールコードレス電話機において、親機と子機とを結ぶ無線インターフェースとして、例えばBluetooth（非特許文献１など参照）のような１対多接続が可能な無線方式を用いた場合、個々のカールコードレス電話機で親機子機の組み合わせを他と識別する必要がある。
【０００４】
従来、カールコードレス電話機において、特定の親機と子機とを関連付けるための子機登録処理技術として、それぞれの親機子機の組み合わせごとにＩＤコードと呼ばれる識別情報を親機と子機との間でやり取りして不揮発性メモリに登録しておき、無線通信時に両者間でＩＤコードを確認することにより特定の親機子機間でのみ無線通信を行う技術が提案されている（例えば、特許文献１など参照）。
【０００５】
なお、出願人は、本明細書に記載した先行技術文献情報で特定される先行技術文献以外には、本発明に関連する先行技術文献を出願時までに発見するには至らなかった。
【特許文献１】特開平７−７５１６９号公報
【非特許文献１】www.bluetooth.org/spec/
【発明の開示】
【発明が解決しようとする課題】
【０００６】
しかしながら、このような従来技術では、登録処理時に親機子機間で単にＩＤコードをやり取りするものとなっているため、複数のカールコードレス電話機で並行して登録処理が行われた場合、ＩＤコードが他の親機や子機で受け取られて異なる親機と子機とが関連付けられる可能性があり、所望の親機と子機とを正確に関連付けることができないという問題点があった。また、一般的なカールコードレス電話機には、親機に操作入力部や表示部が設けられていないものが多く、このような場合には親機からＩＤコードを入力したりＩＤコードを確認することができず、従来技術をそのまま適用できないという問題点があった。
本発明はこのような課題を解決するためのものであり、操作入力部や表示部が設けられていない親機であっても、カールコードレス電話機の親機と子機とを容易かつ正確に関連付けることができる電話システムおよびカールコードレス電話機を提供することを目的としている。
【課題を解決するための手段】
【０００７】
このような目的を達成するために、本発明にかかる電話システムは、複数の電話機を接続するとともに通話回線を収容する制御装置からなり、前記電話機として、子機と親機とが無線伝送路を介して接続されるカールコードレス電話機を備える電話システムであって、制御装置は、カールコードレス電話機での子機登録処理に固有の登録コードを親機に通知する子機登録制御手段を備え、子機は、操作入力された登録コードに基づき生成した認証コードを親機に通知する子機登録手段を備え、親機は、子機から通知された認証コードと制御装置から通知された登録コードに基づき生成した認証コードとの一致に応じて子機を正当な子機と判断する子機登録処理手段を備えている。
【０００８】
この際、子機登録制御手段で、電話機のうち子機登録処理を行うカールコードレス電話機以外の電話機のいずれかを制御して、親機で用いられる登録コードを当該電話機で可視表示するようにしてもよい。
あるいは、制御装置に、登録コードを生成する登録コード生成手段をさらに設けてもよい。
【０００９】
また、本発明にかかるカールコードレス電話機は、複数の電話機を接続するとともに通話回線を収容する制御装置からなる電話システムで、前記電話機として用いられ、子機と親機とが無線伝送路を介して接続されるカールコードレス電話機であって、子機は、操作入力された登録コードに基づき生成した認証コードを親機に通知する子機登録手段を備え、親機は、子機から通知された認証コードと制御装置から通知された登録コードに基づき生成した認証コードとの一致に応じて子機を正当な子機と判断する子機登録処理手段を備えている。
【発明の効果】
【００１０】
本発明によれば、所望のカールコードレス電話機での子機登録処理に固有の登録コードが制御装置から子機登録処理の対象となる親機へ通知されるとともに、子機登録処理の対象となる子機で操作入力された当該登録コードに基づき生成した認証コードが親機へ通知され、子機から通知された認証コードと制御装置から通知された登録コードに基づき生成した認証コードとの一致に応じて親機で当該子機が正当な子機であると判断されるため、操作入力部や表示部が設けられていない親機であっても、カールコードレス電話機の親機と子機とを容易かつ正確に関連付けることができる。
【発明を実施するための最良の形態】
【００１１】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
この電話システム１０は、複数の電話機３，３Ａと、これら電話機３，３Ａを内線伝送路６Ａ，６Ｂを介して接続するとともにアナログ電話回線やＩＰ電話回線などからなる１つ以上の通話回線７を収容する制御装置４とから構成されている。
【００１２】
このうち、電話機３Ａは、カールコードレス親機（以下、親機という）１とカールコードレス子機（以下、子機という）２とからなるカールコードレス電話機である。このカールコードレス電話機３Ａは、呼制御機能を持つ親機１と通話機能を持つ子機２とが無線伝送路５を介して接続される電話機であり、親機１が内線伝送路６Ａを介して制御装置４と接続されている。
【００１３】
本実施の形態では、所望のカールコードレス電話機３Ａでの子機登録処理に固有の登録コードを制御装置４から親機１へ通知するとともに、子機２で操作入力された当該登録コードに基づき生成した認証コードを親機１へ通知し、子機２から通知された認証コードと制御装置４から通知された登録コードに基づき生成した認証コードとの一致に応じて親機１で子機２を正当な子機と判断するようにしたものである。
【００１４】
以下では、カールコードレス電話機３Ａにおいて、親機と子機とを結ぶ無線インターフェースとして、１対多接続が可能なBluetooth無線方式（非特許文献１など参照）を用いている場合を例として説明するが、これに限定されるものではない。
なお、電話機３は、制御装置４から通知された各種情報を表示する表示機能を有する電話機であり、ボタン電話装置などの電話システムで用いられる公知の電話機であり、詳細な説明は省略する。
【００１５】
［カールコードレス電話機］
次に、図２および図３を参照して、本発明の第１の実施の形態にかかる電話システムで用いられるカールコードレス電話機の親機と子機の構成について詳細に説明する。図２は、本発明の第１の実施の形態にかかる電話システムで用いられるカールコードレス親機の構成を示すブロック図である。図３は、本発明の第１の実施の形態にかかる電話システムで用いられるカールコードレス子機の構成を示すブロック図である。
【００１６】
親機１は、図２に示すように、呼制御機能と無線通信機能とを有する電話機であり、伝送インターフェース部（以下、伝送Ｉ／Ｆ部という）１１、無線インターフェース部（以下、無線Ｉ／Ｆ部という）１２、親機記憶部１３、および親機制御部１４が設けられている。
【００１７】
伝送Ｉ／Ｆ部１１は、内線伝送路６Ａを介して制御装置４とデータ伝送を行う回路部からなり、制御装置４との間で制御コマンドや音声データなどの各種データをやり取りする機能を有している。
無線Ｉ／Ｆ部１２は、無線伝送路５を介して子機２とデータ伝送を行う回路部からなり、子機登録処理で登録された認証データに基づき認証が得られた子機２との間で制御コマンドや音声データなどの各種データをやり取りする機能を有している。
【００１８】
親機記憶部１３は、揮発性メモリや不揮発性メモリなどの記憶装置からなり、親機制御部１４での呼制御処理や子機登録処理に用いる各種処理情報やプログラム１３Ｐを記憶する機能を有している。
プログラム１３Ｐは、当該親機１の製造時に他の装置から親機記憶部１３へ書き込まれ、あるいは伝送Ｉ／Ｆ部１１など親機１に設けられた入出力インターフェースを介して外部装置や記録媒体から親機記憶部１３へ書き込まれる。
【００１９】
親機記憶部１３で記憶する主な処理情報としては、固定コード１３Ａ、登録コード１３Ｂ、および認証コード１３Ｃがある。
固定コード１３Ａは、当該電話システムに固有の識別情報からなり、製造時あるいは出荷時に他の装置から親機記憶部１３へ書き込まれる。登録コード１３Ｂは、当該カールコードレス電話機３Ａでの子機登録処理に固有の識別情報からなり、制御装置４から通知され親機制御部１４により親機記憶部１３へ書き込まれる。
【００２０】
認証コード１３Ｃは、親機１と子機２との間の子機登録処理およびその後の無線通信時の認証に用いられる識別情報からなり、親機制御部１４により上記固定コード１３Ａと登録コード１３Ｂとから生成されて親機記憶部１３へ書き込まれる。
なお、認証コード１３Ｃについては、専用の不揮発性メモリに別途設けて、子機２との子機登録処理の成功に応じて親機制御部１４により登録し、子機２との無線通信時に、必要に応じて無線Ｉ／Ｆ部１２から当該不揮発性メモリ内の認証コードを随時参照可能としてもよい。
【００２１】
親機制御部１４は、ＣＰＵなどのマイクロプロセッサとその周辺回路を有し、親機記憶部１３のプログラム１３Ｐを読み込んで実行することにより、上記ハードウェアとプログラム１３Ｐとを協働させて各種機能手段を実現する機能部である。
親機制御部１４で実現される主な機能手段としては、呼制御手段１４Ａと子機登録処理手段１４Ｂとがある。
【００２２】
呼制御手段１４Ａは、内線伝送路６Ａおよび伝送Ｉ／Ｆ部１１を介して制御装置４から各種制御コマンドを受信する機能と、これら制御コマンドに基づき無線Ｉ／Ｆ部１２および無線伝送路５を介して子機２へ制御コマンドを送信することにより子機２の動作を制御する機能と、無線伝送路５および無線Ｉ／Ｆ部１２を介して子機２から操作情報を受信する機能と、その操作情報を伝送Ｉ／Ｆ部１１および内線伝送路６Ａを介して制御装置４へ送信する機能とを有している。
【００２３】
子機登録処理手段１４Ｂは、呼制御手段１４Ａで制御装置４から受け取った子機登録指示に含まれる登録コード１３Ｂを親機記憶部１３へ格納する機能と、親機記憶部１３の固定コード１３Ａと登録コード１３Ｂとから当該子機登録処理に固有の認証コード（例えば、BluetoothのＰＩＮコード）を生成する機能と、生成した認証コードと子機２から通知された認証コードとを比較することにより登録コードの一致を検査し、その一致不一致に応じて子機登録処理の成否を確認する機能と、子機登録処理の成否を子機２へ通知する機能と、子機登録成功に応じて当該認証コードを正当な認証コード１３Ｃとして親機記憶部１３へ登録する機能と、子機登録処理の成否を子機登録結果として制御装置４へ通知する機能とを有している。
【００２４】
一方、子機２は、図３に示すように、通話機能と無線通信機能とを有する携帯可能な電話機であり、無線インターフェース部（以下、無線Ｉ／Ｆ部という）２１、音声処理部２２、表示部２３、操作入力部２４、子機記憶部２５、および子機制御部２６が設けられている。
【００２５】
無線Ｉ／Ｆ部２１は、無線伝送路５を介して親機１とデータ伝送を行う回路部からなり、子機登録処理で登録された認証データに基づき認証が得られた親機１との間で制御コマンドや音声データなどの各種データをやり取りする機能を有している。
音声処理部２２は、無線Ｉ／Ｆ部２１で受信した音声データから生成した音声信号をスピーカ（図示せず）から出力する機能と、マイク（図示せず）から入力された音声信号を音声データに変換して無線Ｉ／Ｆ部２１から送信する機能と、呼出音、警報音、音声メッセージ、音楽などの各種音声信号をスピーカから出力する機能とを有している。
【００２６】
表示部２３は、ＬＥＤやＬＣＤなどの表示装置からなり、子機制御部２６からの指示に応じて、各種情報を可視表示する機能を有している。
操作入力部２４は、キー、ボタン、スイッチなどの操作検出素子からなり、検出した利用者の操作を子機制御部２６へ出力する機能を有している。
【００２７】
子機記憶部２５は、揮発性メモリや不揮発性メモリなどの記憶装置からなり、子機制御部２６での呼制御処理や子機登録処理に用いる各種処理情報やプログラム２５Ｐを記憶する機能を有している。
プログラム２５Ｐは、当該親機１の製造時に他の装置から子機記憶部２５へ書き込まれ、あるいは無線Ｉ／Ｆ部２１など子機２に設けられた入出力インターフェースを介して外部装置や記録媒体から子機記憶部２５へ書き込まれる。
【００２８】
子機記憶部２５で記憶する主な処理情報としては、固定コード２５Ａ、登録コード２５Ｂ、および認証コード２５Ｃがある。
固定コード２５Ａは、当該電話システムに固有の識別情報からなり、製造時あるいは出荷時に他の装置から子機記憶部２５へ書き込まれる。登録コード２５Ｂは、当該カールコードレス電話機３Ａでの子機登録処理に固有の識別情報からなり、操作入力部２４から操作入力されて子機制御部２６により子機記憶部２５へ書き込まれる。
【００２９】
認証コード２５Ｃは、親機１と子機２との間の子機登録処理およびその後の無線通信時の認証に用いられる識別情報からなり、子機制御部２６により上記固定コード２５Ａと登録コード２５Ｂとから生成され、親機１との子機登録処理の成功に応じて子機記憶部２５へ書き込まれる。
なお、認証コード２５Ｃについては、専用の不揮発性メモリに別途設けて、親機１との子機登録処理の成功に応じて子機制御部２６により登録し、親機１との無線通信時に、必要に応じて無線Ｉ／Ｆ部２１から当該不揮発性メモリ内の認証コードを随時参照可能としてもよい。
【００３０】
子機制御部２６は、ＣＰＵなどのマイクロプロセッサとその周辺回路を有し、子機記憶部２５のプログラム２５Ｐを読み込んで実行することにより、上記ハードウェアとプログラム２５Ｐとを協働させて各種機能手段を実現する機能部である。
子機制御部２６で実現される主な機能手段としては、呼制御手段２６Ａと子機登録手段２６Ｂとがある。
【００３１】
呼制御手段２６Ａは、無線伝送路５および無線Ｉ／Ｆ部２１を介して親機１から各種制御コマンドを受信する機能と、これら制御コマンドに基づき音声処理部２２や表示部２３を制御する機能と、操作入力部２４からの出力に応じた操作情報を無線Ｉ／Ｆ部２１および無線伝送路５を介して親機１へ送信する機能と有している。
【００３２】
子機登録手段２６Ｂは、操作入力部２４から操作入力された登録コード２５Ｂを子機記憶部２５へ格納する機能と、子機記憶部２５の固定コード２５Ａと登録コード２５Ｂとから当該子機登録処理に固有の認証コード（例えば、BluetoothのＰＩＮコード）を生成する機能と、この認証コードを親機１へ通知することにより子機登録処理を行う機能と、この子機登録処理の成功に応じて当該認証コードを正当な認証コード２５Ｃとして子機記憶部２５へ登録する機能とを有している。
【００３３】
［制御装置］
次に、図４を参照して、本発明の第１の実施の形態にかかる電話システムで用いられる制御装置の構成について詳細に説明する。図４は、本発明の第１の実施の形態にかかる電話システムで用いられる制御装置の構成を示すブロック図である。
【００３４】
制御装置４は、図４に示すように、通信機能を有するコンピュータなどの情報処理装置であり、回線インターフェース部（以下、回線Ｉ／Ｆ部という）４１、伝送インターフェース部（以下、伝送Ｉ／Ｆ部という）４２、スイッチ部４３、記憶部４４、および制御部４５が設けられている。
【００３５】
回線Ｉ／Ｆ部４１は、電話網８の通話回線７を接続する回路部からなり、所定のプロトコルに基づき通話回線７を終端制御することにより、着信検出、発信、通話などの回線制御を行う機能を有している。
伝送Ｉ／Ｆ部４２は、内線伝送路６Ａ，６Ｂを介して電話機３やカールコードレス電話機３Ａの親機１とデータ伝送を行う回路部からなり、電話機３や親機１との間で制御コマンドや音声データなどの各種データをやり取りする機能を有している。
スイッチ部４３は、回線Ｉ／Ｆ４１と伝送Ｉ／Ｆ部４２との間の通話パスを切り替える回路部からなり、制御部４５からの指示に基づき通話パスの切替を行うことにより、電話機３やカールコードレス電話機３Ａと通話回線７とを任意に交換接続する機能を有している。
【００３６】
記憶部４４は、メモリやハードディスクなどの記憶装置からなり、制御部４５での呼制御処理や子機登録処理に用いる各種処理情報やプログラム４４Ｐを記憶する機能を有している。
プログラム４４Ｐは、当該制御装置４の製造時に他の装置から記憶部４４へ書き込まれ、あるいは回線Ｉ／Ｆ部４１など制御装置４に設けられた入出力インターフェースを介して外部装置や記録媒体から記憶部４４へ書き込まれる。
記憶部４４で記憶する主な処理情報としては、呼制御情報４４Ａがある。この呼制御情報４４Ａは、通話回線７、電話機３、およびカールコードレス電話機３Ａの状態を示す状態情報や、各種設定内容を示す設定情報から構成されており、制御部４５により参照され必要に応じて更新される。
【００３７】
制御部４５は、ＣＰＵなどのマイクロプロセッサとその周辺回路を有し、記憶部４４のプログラム４４Ｐを読み込んで実行することにより、上記ハードウェアとプログラム４４Ｐとを協働させて各種機能手段を実現する機能部である。
制御部４５で実現される主な機能手段としては、呼制御手段４５Ａ、子機登録制御手段４５Ｂ、および登録コード生成手段４５Ｃがある。
【００３８】
呼制御手段４５Ａは、回線Ｉ／Ｆ部４１および通話回線７を介して電話網８さらには相手電話機（図示せず）と各種データをやり取りすることにより通話回線７を用いた通話路の接続や切断を行う機能と、伝送Ｉ／Ｆ部４２および内線伝送路６Ａ，６Ｂを介して電話機３やカールコードレス電話機３Ａと各種制御コマンドや操作情報をやり取りすることにより電話機３およびカールコードレス電話機３Ａの制御を行う機能と、スイッチ部４３を制御して回線Ｉ／Ｆ４１と伝送Ｉ／Ｆ部４２との間の通話パスを切り替えることにより、電話機３やカールコードレス電話機３Ａと通話回線７とを任意に交換接続する機能を有している。
【００３９】
子機登録制御手段４５Ｂは、伝送Ｉ／Ｆ部４２を介して受信した電話機３からの子機登録指示に応じて子機登録処理の対象となる親機１を検出する機能と、登録コード生成手段４５Ｃで生成された当該子機登録処理に固有の登録コードを含む子機登録指示をその処理対象となる親機１へ伝送Ｉ／Ｆ部４２を介して送信する機能と、当該登録コードを子機登録指示の指示元である電話機３へ伝送Ｉ／Ｆ部４２を介して送信する機能と、伝送Ｉ／Ｆ部４２を介して受信した処理対象となる親機１からの子機登録結果を子機登録指示の指示元である電話機３へ伝送Ｉ／Ｆ部４２を介して送信する機能とを有している。
【００４０】
［第１の実施の形態の動作］
次に、図５を参照して、本発明の第１の実施の形態にかかる電話システムの子機登録動作について詳細に説明する。図５は、本発明の第１の実施の形態にかかる電話システムの子機登録動作を示すシーケンス図である。
以下では、カールコードレス電話機３Ａを電話システム１０へ追加する際、あるいはカールコードレス電話機３Ａの親機１または子機２を交換する際に、作業者により電話機３で行われた子機登録指示操作に応じて、カールコードレス電話機３Ａの親機１と子機２との間で子機登録処理を行う場合を例として説明する。
【００４１】
予め制御装置４と内線伝送路６Ｂを介して接続されている電話機３で、作業者により所定の子機登録指示操作が行われた場合（ステップ１００）、その電話機３から子機登録指示が制御装置４に対して送信される（ステップ１０１）。
制御装置４の制御部４５は、伝送Ｉ／Ｆ部４２を介して子機登録指示を受信した場合、子機登録処理の対象となる親機１を特定するため、子機登録制御手段４５Ｂにより、対象親機の起動の待ち受けを開始する（ステップ１０２）。
【００４２】
この後、子機登録処理の対象となる親機１と制御装置４とが内線伝送路６Ａを介して接続されて、親機１への給電が開始された場合（ステップ１０３）、親機１の親機制御部１４が制御動作を開始して、伝送Ｉ／Ｆ部１１および内線伝送路６Ａを介して制御装置４へ制御動作の開始を示す起動通知を送信する（ステップ１０４）。
制御装置４の制御部４５は、伝送Ｉ／Ｆ部４２を介して親機１から起動通知を受信し、子機登録制御手段４５Ｂは、親機１からの起動通知に応じて子機登録対象として親機１を検出する（ステップ１０５）。
【００４３】
続いて、子機登録制御手段４５Ｂは、登録コード生成手段４５Ｃにより、例えば乱数などを用いて４桁の数字からなる当該子機登録処理に固有の登録コードを生成し（ステップ１０６）、その登録コードを含む子機登録指示を伝送Ｉ／Ｆ部４２から内線伝送路６Ａを介して親機１へ送信する（ステップ１１０）。
親機１の親機制御部１４は、伝送Ｉ／Ｆ部１１を介して受信した制御装置４からの子機登録指示に応じて、子機登録処理手段１４Ｂにより、親機記憶部１３の固定コード１３Ａと登録コード１３Ｂとから当該カールコードレス電話機３Ａでの子機登録処理に固有の登録コードを生成し（ステップ１１１）、子機２との子機登録処理の待ち受けを開始する（ステップ１１２）。
【００４４】
また、制御装置４の子機登録制御手段４５Ｂは、登録コード生成手段４５Ｃにより生成された登録コードを伝送Ｉ／Ｆ部４２から内線伝送路６Ｂを介して指示元の電話機３へ送信する（ステップ１１３）。
電話機３では、制御装置４からの登録コードを受信し、自装置が有するＬＣＤなどの表示部へその登録コードを可視表示する（ステップ１１４）。これにより、カールコードレス電話機３Ａでの子機登録で用いる登録コードが作業者に通知される。
【００４５】
一方、子機２で作業者により所定の子機登録開始操作が行われた場合（ステップ１２０）、子機制御部２６は、操作入力部２４から子機登録開始操作を検出し、子機登録手段２６Ｂにより、登録コードの操作入力の待ち受けを開始する（ステップ１２１）。
その後、作業者により子機２において登録コードが操作入力された場合（ステップ１２２）、子機登録手段２６Ｂは、操作入力部２４から登録コード２５Ｂを受け取って子機記憶部２５へ格納し、子機記憶部２５の固定コード２５Ａと登録コード２５Ｂとから当該カールコードレス電話機３Ａでの子機登録処理に固有の認証コードを生成する（ステップ１２３）。
【００４６】
次に、子機登録手段２６Ｂは、生成した認証コードを含む子機登録要求を無線Ｉ／Ｆ部２１および無線伝送路５を介して親機１へ送信する（ステップ１２４）。これにより、子機２と親機１との間で子機登録処理が開始される。
親機１の親機制御部１４は、子機登録処理手段１４Ｂにより、子機２から受け取った制御コマンドに含まれる認証コードと自己で生成した認証コードとを比較することにより登録コードの一致を検査する（ステップ１２５）。
【００４７】
この際、子機登録処理手段１４Ｂは、上記認証コードが一致した場合、両者の登録コードが一致して正規の子機２からの子機登録処理であると判断し、子機登録が成功した旨を子機２へ通知する（ステップ１２６）。これにより、親機１の子機登録処理手段１４Ｂで、当該認証コードを正当な認証コード１３Ｃとして親機記憶部１３へ登録するとともに、子機２の子機登録手段２６Ｂで、当該認証コードを正当な認証コード２５Ｃとして子機記憶部２５へ登録する（ステップ１２７）。
一方、認証コードが一致しなかった場合、両者の登録コードが一致せず所望の子機２との子機登録処理に失敗したと判断し、親機１および子機２での認証コードの登録は行われない。
【００４８】
その後、親機１の子機登録処理手段１４Ｂは、子機登録処理の成否を子機登録結果として伝送Ｉ／Ｆ部および内線伝送路６Ａを介して制御装置４へ通知する（ステップ１３０）。
制御装置４の子機登録制御手段４５Ｂは、伝送Ｉ／Ｆ部４２を介して親機１からの子機登録結果を受信し、その子機登録結果を伝送Ｉ／Ｆ部４２および内線伝送路６Ｂを介して子機登録の指示元である電話機３へ通知する（ステップ１３１）。これにより、電話機３で子機登録処理の成否が可視表示され（ステップ１３２）、作業者に子機登録処理の成否が通知される。
【００４９】
このように、本実施の形態では、所望のカールコードレス電話機３Ａでの子機登録処理に固有の登録コードを制御装置４から親機１へ通知するとともに、子機２で操作入力された当該登録コードに基づき生成した認証コードを親機１へ通知し、子機２から通知された認証コードと制御装置４から通知された登録コードに基づき生成した認証コードとの一致に応じて親機１で子機２を正当な子機と判断するようにしたので、カールコードレス電話機の親機と子機とを容易かつ正確に関連付けることができる。
また、一般的なカールコードレス電話機には、親機に操作入力部や表示部が設けられていないものが多く、このような場合には親機からＩＤコードを入力したりＩＤコードを確認することができないが、本実施の形態によれば、操作入力部や表示部が設けられていない親機であっても、カールコードレス電話機の親機と子機とを容易に関連付けることができる。
【００５０】
また、制御装置４の子機登録制御手段４５Ｂで、子機登録処理を行うカールコードレス電話機以外の電話機３を制御して、子機２で操作入力するための登録コードを当該電話機３で可視表示するようにしたので、制御装置４や親機１に表示機能がない場合でも、任意の登録コードを作業者へ容易に通知できる。
【００５１】
また、制御装置４に登録コード生成手段４５Ｃを設け、カールコードレス電話機３Ａでの子機登録処理に固有の登録コードを自動生成するようにしたので、作業者が登録コードを生成したり予め用意しておく必要がなくなる。
なお、登録コードの生成方法については、前述の乱数に限定されるものではなく、所定の数式に基づき異なる値を順次生成するようにしてもよい。例えば日付や時刻などの時間情報に基づき登録コードを生成してもよい。あるいは、子機登録処理の対象となるカールコードレス電話機３Ａに固有の識別情報、例えば内線番号や端末番号、内線伝送路６Ａ，６ＢがＬＡＮの場合はＩＰアドレスやＭＡＣアドレスなどに基づき登録情報を生成してもよい。
【００５２】
また、親機１および子機２において、当該子機登録処理に固有の登録コードと当該電話システムに固有の固定コードとから認証コードを生成するようにしたので、当該電話システム１０内で並列的に行われる他のカールコードレス電話機３Ａにおける子機登録処理と区別できるだけでなく、当該電話システム以外の機器で行われる登録処理についても区別することができ、正確な子機登録処理を実現できる。
【００５３】
また、制御装置４において、電話機３からの子機登録指示に応じて、親機１の起動の待ち受けを開始し、その後に任意の親機１から通知された起動通知に応じて、当該親機１を子機登録処理の対象として検出するようにしたので、子機登録処理の対象となる親機１を極めて容易に特定することができる。
【００５４】
なお、図５のステップ１２０における子機２での子機登録開始操作や、同じくステップ１２１の登録コード待ち受け開始については、同じくステップ１２２での登録コードの操作入力までに行われておればよく、制御装置４や親機１での処理とのタイミングについて特に限定されない。
【００５５】
［第２の実施の形態］
次に、本発明の第２の実施の形態にかかる電話システムについて説明する。
前述した第１の実施の形態では、制御装置４で登録コードを生成する場合を例として説明したが、本実施の形態では作業者が電話機３から登録コードを操作入力する場合について説明する。
【００５６】
この場合、電話機３での子機登録指示操作（図５：ステップ１００）において、登録コードの操作入力を受け付け、その登録コードを含む子機登録指示を制御装置４へ送信すればよい。また、制御装置４の登録コード生成手段４５Ｃで、電話機３からの子機登録指示に含まれる登録コードを抽出すればよい。
その他の構成および子機登録動作については、前述した第１の実施の形態と同様であり、ここでの詳細な説明は省略する。
【００５７】
このように、本実施の形態では、電話機３での子機登録指示操作で入力された登録コードを制御装置４で抽出して用いるようにしたので、作業者がわかりやすい任意の登録コード、例えばカールコードレス電話機に割り当てられた内線番号や端末管理番号などの登録コードを用いることができ、乱数などにより生成されたアトランダムな登録コードを覚えて入力する場合と比較して、子機登録時の作業負担を軽減できる。また、制御装置４で乱数などを用いて登録コードを生成する必要がなくなる。
【００５８】
［実施の形態の拡張］
以上の各実施の形態では、前述した図１の電話システムの構成を例として説明したが、電話機３やカールコードレス電話機３Ａの数については、上記に限定されるものではなく、より多くの電話機３やカールコードレス電話機３Ａが接続されている電話システムであっても、前述と同様に各実施の形態を適用でき、前述と同様の作用効果が得られる。
【００５９】
また、以上の各実施の形態では、１つのカールコードレス電話機３Ａでのみ子機登録処理を行う場合について説明したが、複数のカールコードレス電話機３Ａで並列して子機登録処理を行うことも可能である。
【００６０】
例えば、第１の実施の形態では、制御装置４で処理対象となる親機１を検出するごとに（図５：ステップ１０５）、当該子機登録処理に固有の登録コードを順次生成して（図５：ステップ１０６）、当該親機１へ通知すればよい（図５：ステップ１０７）。
また、第２の実施の形態では、子機登録処理に用いる連番の登録コード、例えば初期値と個数を電話機３から操作入力して（図５：ステップ１００）、制御装置４へ通知し（図５：ステップ１０１）、制御装置４で処理対象となる親機１を検出するごとに（図５：ステップ１０５）、連番の登録コードを順次生成して（図５：ステップ１０６）、当該親機１へ通知すればよい（図５：ステップ１０７）。
【００６１】
また、以上の各実施の形態では、電話機３からの子機登録指示に応じて（図５：ステップ１０１）、処理対象となる親機１を検出するために制御装置４で親機１の起動を待ち受けを開始するものとなっているが（図５：ステップ１０２）、制御装置４の制御部４５が持つタイマー機能を利用してこの待ち受け期間を指定の時間長に限定してもよい。
同様に、親機１での子機登録の待ち受け期間や（図５：ステップ１１２）、子機２での登録コードの待ち受け期間についても（図５：ステップ１２１）、親機制御部１４や子機制御部２６の持つタイマー機能を利用してこれら待ち受け期間を指定の時間長に限定してもよい。
【図面の簡単な説明】
【００６２】
【図１】本発明の第１の実施の形態にかかる電話システムの構成を示すブロック図である。
【図２】本発明の第１の実施の形態にかかる電話システムで用いられるカールコードレス親機の構成を示すブロック図である。
【図３】本発明の第１の実施の形態にかかる電話システムで用いられるカールコードレス子機の構成を示すブロック図である。
【図４】本発明の第１の実施の形態にかかる電話システムで用いられる制御装置の構成を示すブロック図である。
【図５】本発明の第１の実施の形態にかかる電話システムの子機登録動作を示すシーケンス図である。
【符号の説明】
【００６３】
１０…電話システム、１…親機、１１…伝送Ｉ／Ｆ部、１２…無線Ｉ／Ｆ部、１３…親機記憶部、１３Ａ…固定コード、１３Ｂ…登録コード、１３Ｃ…認証コード、１３Ｐ…プログラム、１４…親機制御部、１４Ａ…呼制御手段、１４Ｂ…子機登録処理手段、２…子機、２１…無線Ｉ／Ｆ部、２２…音声処理部、２３…表示部、２４…操作入力部、２５…子機記憶部、２５Ａ…固定コード、２５Ｂ…登録コード、２５Ｃ…認証コード、２５Ｐ…プログラム、２６…子機制御部、２６Ａ…呼制御手段、２６Ｂ…子機登録手段、３…電話機、３Ａ…カールコードレス電話機、４…制御装置、５…無線伝送路、６Ａ，６Ｂ…内線伝送路、７…通話回線、８…電話網。
【図１】
2006210990.tif 000003
【図２】
2006210990.tif 000004
【図３】
2006210990.tif 000005
【図４】
2006210990.tif 000006
【図５】
2006210990.tif 000007